(57)【要約】      （修正有）【課題】装飾性に優れると共に、グリップに施した模様が長年の使用によっても、剥がれ落ちることなく、使用時の滑り止め効果やフィット感を良くすると共に、耐久性に優れたゴルフクラブ用グリップを提供する。【解決手段】グリップＧを後端から前端に向かって細くなるように形成する。互いに異なる色彩の外層１と内層２の二層構造で、外層１には連続又は不連続とした複数の孔を設け、グリップＧの前半部Ｇｆから中半部Ｇｍ、中半部Ｇｍから後半部Ｇｂにかけて、前記孔から内層２の一部２ａを外層１表面より突き出させ、前半部Ｇｆから中半部Ｇｍ、中半部Ｇｍから後半部Ｇｂに向かうにしたがい前記孔から突き出させた内層２の一部２ａを、外層１表面より徐々に小さく突き出させる。【選択図】図２
0003185243.tif 000002
【実用新案登録請求の範囲】
【請求項１】
グリップ（Ｇ）を後端から前端に向かって細くなるように形成し、互いに異なる色彩の外層（１）と内層（２）の二層構造とし、外層（１）には連続又は不連続とした複数の孔（３）を設け、グリップ（Ｇ）の前半部（Ｇｆ）から中半部（Ｇｍ）、中半部（Ｇｍ）から後半部（Ｇｂ）にかけて、前記孔（３）から内層（２）の一部（２ａ）を外層（１）表面より突き出させ、前半部（Ｇｆ）から中半部（Ｇｍ）、中半部（Ｇｍ）から後半部（Ｇｂ）に向かうにしたがい前記孔（３）から突き出させた内層（２）の一部（２ａ）を、外層（１）表面より徐々に小さく突き出させたものとしたことを特徴とするゴルフクラブ用グリップ。
【請求項２】
グリップ（Ｇ）を後端から前端に向かって細くなるように形成し、互いに異なる色彩の外層（１）と内層（２）の二層構造とし、外層（１）には連続又は不連続とした複数の孔（３）を設け、グリップ（Ｇ）の前半部（Ｇｆ）および中半部（Ｇｍ）においては、前記孔（３）から内層（２）の一部（２ａ）を外層（１）表面より突き出させ、グリップ（Ｇ）の後半部（Ｇｂ）においては、前記孔（３）から内層（２）の一部（２ａ）を外層（１）表面まで突き出させたものとしたことを特徴とするゴルフクラブ用グリップ。
【請求項３】
前記孔（３）からを突き出させた内層（２）の一部（２ａ）は、前半部（Ｇｆ）から中半部（Ｇｍ）に向かうにしたがい、前記外層（１）表面より徐々に小さく突き出させたものとしたことを特徴とする請求項２記載のゴルフクラブ用グリップ。
【請求項４】
前記外層（１）を、内層（２）より薄く、内層（２）より軟質のゴム又は合成樹脂で形成したものとしたことを特徴とする請求項１〜３のいずれかに記載のゴルフクラブ用グリップ。
【請求項５】
前記外層（１）を、内層（２）より厚く、内層（２）より硬質のゴム又は合成樹脂で形成したものとしたことを特徴とする請求項１〜３のいずれかに記載のゴルフクラブ用グリップ。
【考案の詳細な説明】
【技術分野】
【０００１】
この考案は、ゴルフクラブのシャフトに装着されるゴルフクラブ用グリップに関するものである。
【背景技術】
【０００２】
従来のゴルフクラブ用グリップとしては、ゴムや合成樹脂からなるものが存在し、装飾性を持たせたり、使用時の滑り止めなどのために、表面に凹凸条の模様を形成したものが存在する（特許文献１）。
【０００３】
さらに、従来のゴルフクラブ用グリップとしては、前記のような凹条内に適宜な色の塗装を施し、いわゆるラインカラーを形成して、装飾性をより良くしたものが存在する（特許文献２）。
【０００４】
また、従来のゴルフクラブ用グリップとしては、ゴムや合成樹脂からなり、内層と外層の二層構造としたものが存在する。このようなゴルフクラブ用グリップは、内層を硬質のゴム層とし、外層を軟質のゴム層としたり、逆に内層を軟質のゴム層とし、外層を硬質のゴム層としたりして、使用時の滑り止め効果やフィット感を良くしたものが存在する（特許文献３）。
【０００５】
さらにまた、従来のゴルフクラブ用グリップとしては、第１熱収縮チューブの外側に第２熱収縮チューブを熱収縮させて被せて成るものが存在する。このようなゴルフクラブ用グリップは、第１熱収縮チューブと第２熱収縮チューブを色違いのチューブとしている。そして、第２熱収縮チューブには、予め多数の小孔を散在させて設けており、その小孔から第１熱収縮チューブが露出してグリップの表面に色違いの模様ができるとしている（特許文献４）。
【先行技術文献】
【特許文献】
【０００６】
【特許文献１】特開平４ー１２６１６９号公報
【特許文献２】特開平３ー１１２５７５号公報
【特許文献３】実開昭５９ー８７８５８号公報
【特許文献４】特開２００１−２６０２５７号公報
【考案の概要】
【考案が解決しようとする課題】
【０００７】
しかしながら、上記従来のゴルフクラブ用グリップにおいて、表面に形成した凹凸条の凹条内に適宜な色の塗装を施したものは、装飾性が良くなるが、長年の使用によって、その塗装が剥がれ落ちてしまい、わざわざ施した模様が台無しになってしまうという課題を有していた。
【０００８】
さらに、上記従来のゴルフクラブ用グリップにおいて、単に内層と外層の二層構造としたものは、使用時の滑り止め効果やフィット感が良くなるが、装飾性に劣るという課題を有していた。さらに、このようなゴルフクラブ用グリップでは、長年の使用によって、二層構造間の密着力が低下し、内層と外層との間にズレが生じ、内層から外層が剥がれてしまうことがあり、耐久性に欠けるという課題を有していた。
【０００９】
また、上記従来のゴルフクラブ用グリップにおいて、第２熱収縮チューブに設けた小孔から第１熱収縮チューブが露出してグリップの表面に色違いの模様ができるようにしたものでは、装飾性が良くなり、使用時の滑り止め効果やフィット感が良くなるが、やはりこのグリップでも、長年の使用によって、二層構造間の密着力が低下し、内層と外層との間にズレが生じ、内層から外層が剥がれてしまうことがあり、耐久性に欠けるという課題を有していた。
【００１０】
そこで、この考案は、上記従来の課題を解決するものであり、装飾性に優れると共に、グリップに施した模様が長年の使用によっても、剥がれ落ちることなく、使用時の滑り止め効果やフィット感を良くすると共に、耐久性に優れたゴルフクラブ用グリップを提供することを目的としてなされたものである。
【課題を解決するための手段】
【００１１】
そのため、この考案のゴルフクラブ用グリップは、グリップＧを後端から前端に向かって細くなるように形成し、互いに異なる色彩の外層１と内層２の二層構造とし、外層１には連続又は不連続とした複数の孔３を設け、グリップＧの前半部Ｇｆから中半部Ｇｍ、中半部Ｇｍから後半部Ｇｂにかけて、前記孔３から内層２の一部２ａを外層１表面より突き出させ、前半部Ｇｆから中半部Ｇｍ、中半部Ｇｍから後半部Ｇｂに向かうにしたがい前記孔３から突き出させた内層２の一部２ａを、外層１表面より徐々に小さく突き出させたものとしている。
【００１２】
そして、この考案のゴルフクラブ用グリップは、グリップＧを後端から前端に向かって細くなるように形成し、互いに異なる色彩の外層１と内層２の二層構造とし、外層１には連続又は不連続とした複数の孔３を設け、グリップＧの前半部Ｇｆおよび中半部Ｇｍにおいては、前記孔３から内層２の一部２ａを外層１表面より突き出させ、グリップＧの後半部Ｇｂにおいては、前記孔３から内層２の一部２ａを外層１表面まで突き出させたものとしている。
【００１３】
さらに、この考案のゴルフクラブ用グリップにおいて、前記孔３からを突き出させた内層２の一部２ａは、前半部Ｇｆから中半部Ｇｍに向かうにしたがい、前記外層１表面より徐々に小さく突き出させたものとしている。
【００１４】
また、この考案のゴルフクラブ用グリップにおいて、前記外層１を、内層２より薄く、内層２より軟質のゴム又は合成樹脂で形成したものとしたり、前記外層１を、内層２より厚く、内層２より硬質のゴム又は合成樹脂で形成したものとしている。
【考案の効果】
【００１５】
この考案のゴルフクラブ用グリップは、以上に述べたような構成としているので、外層１に設けた連続又は不連続とした複数の孔３から露出した内層２の色彩が模様として浮き上がらせることができ、その模様が際立ったものとなって、装飾性に優れたものとなる。
【００１６】
そして、この考案のゴルフクラブ用グリップは、グリップＧの前半部Ｇｆおよび中半部Ｇｍにおいて孔３から内層２の一部２ａを外層１表面より突き出させたものとしているので、そのグリップＧの前半部Ｇｆや中半部Ｇｍを、素手で握った手の平や指がその突き出た部分に当接して、使用時の滑り止め効果やフィット感を良くすることができ、さらにグリップＧの後半部Ｇｂにおいては、孔３から内層２を外層１表面まで、又は外層１表面より小さく突き出させたものとしているので、そのグリップＧの後半部Ｇｂを、グローブをはめた手で握った手の平や指がその部分に当接して、使用時の滑り止め効果やフィット感を良くすることができる。
【００１７】
さらに、この考案のゴルフクラブ用グリップは、グリップＧの後半部Ｇｂにおいて孔３から内層２の一部２ａを外層１表面まで、又は外層１表面より小さく突き出させ、グリップＧの前半部Ｇｆおよび中半部Ｇｍにおいて前記孔３から内層２の一部２ａを外層１表面より突き出させたものとしているので、その突き出させた部分がズレの抵抗となって、二層構造とした外層１と内層２との間にズレが生じて内層２から外層１が剥がれてしまうこともなく、耐久性に優れたものとなる。
【図面の簡単な説明】
【００１８】
【図１】この考案のゴルフクラブ用グリップの第一実施形態を示す斜視図である。
【図２】図１に示すこの考案のゴルフクラブ用グリップの縦断面図である。
【図３】図２中の円ａで囲んだ部分のこの考案のゴルフクラブ用グリップの拡大断面図である。
【図４】図２中の円ｂで囲んだ部分のこの考案のゴルフクラブ用グリップの拡大断面図である。
【図５】図３中のＡ−Ａ線によるこの考案のゴルフクラブ用グリップの拡大断面図である。
【図６】図４中のＢ−Ｂ線によるこの考案のゴルフクラブ用グリップの拡大断面図である。
【図７】この考案のゴルフクラブ用グリップの第二実施形態を示す斜視図である。
【図８】図７に示すこの考案のゴルフクラブ用グリップの縦断面図である。
【図９】図８中の円ｃで囲んだ部分のこの考案のゴルフクラブ用グリップの拡大断面図である。
【図１０】図８中の円ｄで囲んだ部分のこの考案のゴルフクラブ用グリップの拡大断面図である。
【図１１】図９中のＣ−Ｃ線によるこの考案のゴルフクラブ用グリップの拡大断面図である。
【図１２】図１０中のＤ−Ｄ線によるこの考案のゴルフクラブ用グリップの拡大断面図である。
【図１３ａ】この考案の第一実施形態のゴルフクラブ用グリップの製造工程を示す説明図である。
【図１３ｂ】この考案の第一実施形態のゴルフクラブ用グリップの製造工程を示す説明図である。
【図１３ｃ】この考案の第一実施形態のゴルフクラブ用グリップの製造工程を示す説明図である。
【図１４ａ】この考案の第二実施形態のゴルフクラブ用グリップの製造工程を示す説明図である。
【図１４ｂ】この考案の第二実施形態のゴルフクラブ用グリップの製造工程を示す説明図である。
【図１４ｃ】この考案の第二実施形態のゴルフクラブ用グリップの製造工程を示す説明図である。
【考案を実施するための形態】
【００１９】
以下、この考案のゴルフクラブ用グリップを実施するための形態を、図面に基づいて詳細に説明する。
【００２０】
この考案のゴルフクラブ用グリップは、第一実施形態として図１〜６、第二実施形態として図７〜１２に示したように、グリップＧを後端から前端に向かって徐々に細くなるように形成し、互いに異なる色彩の外層１と内層２の二層構造とし、外層１には連続又は不連続とした複数の孔３を設けている。
【００２１】
そして、この考案のゴルフクラブ用グリップは、図１〜６に示したように、グリップＧの前半部Ｇｆから中半部Ｇｍ、中半部Ｇｍから後半部Ｇｂにかけて、前記孔３から内層２の一部２ａを外層１表面より突き出させ、前半部Ｇｆから中半部Ｇｍ、中半部Ｇｍから後半部Ｇｂに向かうにしたがい前記孔３から突き出させた内層２の一部２ａを、外層１表面より徐々に小さく突き出させたものとしている。例えば、グリップＧの前端部においては１. ０ｍｍになるようにし、グリップＧの後端部においては０. １ｍｍになるようにして、前半部Ｇｆから中半部Ｇｍ、中半部Ｇｍから後半部Ｇｂに向かうにしたがい前記孔３から突き出させた内層２の一部２ａを、前記外層１表面より徐々に小さく突き出させたものとすることができるが、外層１及び内層２に使用するゴムや合成樹脂の硬さや、用いるクラブの種類によったり、使用者の好みによって、その突き出させ具合を調整すればよい。
【００２２】
また、この考案のゴルフクラブ用グリップは、図７〜１２に示したように、グリップＧの前半部Ｇｆおよび中半部Ｇｍにおいては、前記孔３から内層２の一部２ａを外層１表面より突き出させ、グリップＧの後半部Ｇｂにおいては、前記孔３から内層２の一部２ａを外層１表面まで突き出させたものとしている。なお、この考案のゴルフクラブ用グリップにおいて、前記孔３からを突き出させた内層２の一部２ａは、前半部Ｇｆから中半部Ｇｍに向かうにしたがい、前記外層１表面より徐々に小さく突き出させたものとするのが好ましい。例えば、グリップＧの前端部においては１. ０ｍｍになるようにし、グリップＧの略中央部においては０. ５ｍｍになるようにして、前半部Ｇｆから中半部Ｇｍに向かうにしたがい前記孔３から突き出させた内層２の一部２ａを、前記外層１表面より徐々に小さく突き出させたものとすることができるが、外層１及び内層２に使用するゴムや合成樹脂の硬さや、用いるクラブの種類によったり、使用者の好みによって、その突き出させ具合を調整すればよい。
【００２３】
なお、この考案のゴルフクラブ用グリップにおいて、グリップＧの前半部Ｇｆおよび中半部Ｇｍとは、主に使用者が素手で握る部分をいい、グリップＧの後半部Ｇｂとは、主に使用者がグローブをはめた手で握る部分をいう。
【００２４】
さらに、この考案のゴルフクラブ用グリップは、グリップＧを後端部においては、図示したように、グリップの美観上等の理由で、前記外層１を形成しないで内層２の一層構造として、この内層２の全部が露出するようにするなど、前記外層１と内層２の二層構造とはしなくてもよい。
【００２５】
前記外層１及び内層２は、ゴムや合成樹脂などからなるものとしており、例えば外層１を内層２より薄く形成し、外層１を内層２より軟質の材料で形成したり、外層１を内層２より厚く形成し、外層１を内層２より硬質の材料で形成したり、外層１と内層２を同じ厚さに形成し、外層１と内層２を同質の材料で形成するなど、各種の態様とすることができる。どのような態様にするかは、用いるクラブの種類によったり、使用者の好みによって適宜、選択すれば良い。
【００２６】
さらに、前記外層１及び内層２は、グリップＧの後端から前端に向かって、徐々に直径を小さくしていくと共に徐々に薄くなるように形成することにより、グリップＧを後端から前端に向かって徐々に細くなるように形成しているが、このようにグリップＧを後端から前端に向かって徐々に徐々に細くなるように形成しておれば、前記外層１及び内層２の厚さは一定にしてもよく、また外層１及び内層２の直径は一定にして、厚さのみをグリップＧを後端から前端に向かって徐々に薄くなるようにしてもよい。
【００２７】
この考案において、外層１と内層２とは互いに異なる色彩にしているが、色彩の濃淡の差を大きくするのが好ましい。すなわち、外層１を濃い色にした場合には、内層２を淡い色にするのが好ましく、内層２を濃い色にした場合には、外層１を淡い色にするのが好ましい。このようにすると、内層２の色彩がより際立った模様として浮き上がらせることができ、より装飾性に優れたものとなる。
【００２８】
前記孔３は、図示したものでは、星形の孔を略等間隔で複数個、設けたものとしているが、その他各種の形態とすることができる。例えば、円形、三角形、菱形などの幾何学形状、犬や猫、草花などの動植物を象った形状の孔を、グリップＧの全体的に行き渡るように設けたものとしたりすることができる。
【００２９】
次に、この考案のゴルフクラブ用グリップを製造するには、例えば、次のようにして行われるが、このような製造方法に限定されるものではない。
【００３０】
先ず、この考案の第一実施形態のゴルフクラブ用グリップを製造するには、図１３ａに示したように、略等間隔で星形の突起１１ａを複数個、表面に形成した内層２を芯材２１に支持させ、一対の金型２２内に設置する。この金型２２には、前記内層２に形成した星形の突起１１ａに嵌まり込むようにした星形の窪部１１ｂを、グリップＧの前端部から後端部に向かうにしたがい浅くなるように形成している。
【００３１】
そして、図１３ｂに示したように、前記金型２２を閉じると、この金型２２と内層２との間に、グリップＧの前端部から後端部に向かうにしたがい徐々に深くなった注入空間Ｓが形成されることになる。そこで、前記金型２２のインレット通路２３から、前記注入空間Ｓに外層１の成形材料を注入することにより、内層２の外表面に外層１を成形する。
【００３２】
最後に、図１３ｃに示したように、前記金型２２を開いて、この金型２２からグリップＧを取り出せば、グリップＧの前半部Ｇｆから中半部Ｇｍ、中半部Ｇｍから後半部Ｇｂにかけて、孔３から内層２の一部２ａを外層１表面より突き出させ、前半部Ｇｆから中半部Ｇｍ、中半部Ｇｍから後半部Ｇｂに向かうにしたがい孔３から突き出させた内層２の一部２ａを、外層１表面より徐々に小さく突き出させたこの考案のグルフクラブ用グリップを製造することができる。
【００３３】
次に、この考案の第二実施形態のゴルフクラブ用グリップを製造するには、図１４ａに示したように、略等間隔で星形の突起１１ａを複数個、表面に形成した内層２を芯材２１に支持させ、一対の金型２２内に設置する。この金型２２には、前記内層２に形成した星形の突起１１ａに嵌まり込むようにした星形の窪部１１ｂを、グリップＧの前半部Ｇｆから中半部Ｇｍに向かうにしたがい浅くなるように形成しており、グリップＧの後半部Ｇｂにおいては前記窪部１１ｂを形成せず、平坦面としている。
【００３４】
そして、図１４ｂに示したように、前記金型２２を閉じると、この金型２２と内層２との間に、グリップＧの前半部Ｇｆから中半部Ｇｍに向かうにしたがい徐々に深くなり、グリップＧの後半部Ｇｂにおいて一定の深さになった注入空間Ｓが形成されることになる。そこで、前記金型２２のインレット通路２３から、前記注入空間Ｓに外層１の成形材料を注入することにより、内層２の外表面に外層１を成形する。
【００３５】
最後に、図１４ｃに示したように、前記金型２２を開いて、この金型２２からグリップＧを取り出せば、グリップＧの前半部Ｇｆおよび中半部Ｇｍにおいては孔３から内層２の一部２ａを外層１表面より突き出させ、その内層２の一部２ａを前半部Ｇｆから中半部Ｇｍに向かうにしたがい外層１表面より徐々に小さく突き出させており、グリップＧの後半部Ｇｂにおいては孔３から内層２の一部２ａを外層１表面まで突き出させたこの考案のグルフクラブ用グリップを製造することができる。
【００３６】
以上のように構成されたこの考案のゴルフクラブ用グリップは、図１〜６、図７〜１２に示したように、外層１に設けた複数の星形の孔３から露出した内層２の一部２ａの色彩が模様として浮き上がったものとなる。したがって、この考案のゴルフクラブ用グリップは、その模様が際立ったものとなり、装飾性に優れたものとなる。この場合、前記したように、色彩の濃淡の差を大きくするほど、内層２の一部２ａの色彩がより際立った模様として浮き上がらせることができ、より装飾性に優れたものとなる。
【００３７】
そして、この考案のゴルフクラブ用グリップは、グリップＧの前半部Ｇｆから中半部Ｇｍ、中半部Ｇｍから後半部Ｇｂにかけて、孔３から内層２の一部２ａを外層１表面より突き出させ、前半部Ｇｆから中半部Ｇｍ、中半部Ｇｍから後半部Ｇｂに向かうにしたがい孔３から突き出させた内層２の一部２ａを、外層１表面より徐々に小さく突き出させたものとしたり、グリップＧの前半部Ｇｆおよび中半部Ｇｍにおいては孔３から内層２の一部２ａを外層１表面より突き出させたものとしているので、そのグリップＧの前半部Ｇｆや中半部Ｇｍを、素手で握った手の平や指がその突き出た部分に当接して、使用時の滑り止め効果やフィット感を良くすることができる。さらに、この考案のゴルフクラブ用グリップは、グリップＧの後半部Ｇｂにおいては、孔３から内層２の一部２ａを外層１表面より徐々に小さく突き出させたものとしたり、孔３から内層２の一部２ａを外層１表面まで突き出させたものとしているので、そのグリップＧの後半部Ｇｂを、グローブをはめた手で握った手の平や指がその部分に当接して、使用時の滑り止め効果やフィット感を良くすることができる。この考案のゴルフクラブ用グリップは、このように素手で握るグリップＧの前半部Ｇｆや中半部Ｇｍと、グローブをはめた手で握るグリップＧの後半部Ｇｂにおいて、内層２の外層１表面より突き出させる度合いを調整したものとしているので、従来品と比較して使用時の滑り止め効果やフィット感をより良くすることができる。
【００３８】
さらに、この考案のゴルフクラブ用グリップは、前記したように孔３から内層２の一部２ａを外層１表面より突き出させたものとしたり、孔３から内層２の一部２ａを外層１表面まで突き出させたものとしているので、この突き出させた内層２の一部２ａがズレの抵抗となって、二層構造とした外層１と内層２との間にズレが生じて内層２から外層１が剥がれてしまうこともなく、耐久性に優れたものとなる。
【符号の説明】
【００３９】
１  外層
２  内層
２ａ  一部
３  孔
Ｇ  グリップ
Ｇｆ  前半部
Ｇｍ  中半部
Ｇｂ  後半部
【図１】
0003185243.tif 000003
【図２】
0003185243.tif 000004
【図３】
0003185243.tif 000005
【図４】
0003185243.tif 000006
【図５】
0003185243.tif 000007
【図６】
0003185243.tif 000008
【図７】
0003185243.tif 000009
【図８】
0003185243.tif 000010
【図９】
0003185243.tif 000011
【図１０】
0003185243.tif 000012
【図１１】
0003185243.tif 000013
【図１２】
0003185243.tif 000014
【図１３ａ】
0003185243.tif 000015
【図１３ｂ】
0003185243.tif 000016
【図１３ｃ】
0003185243.tif 000017
【図１４ａ】
0003185243.tif 000018
【図１４ｂ】
0003185243.tif 000019
【図１４ｃ】
0003185243.tif 000020